(57)【特許請求の範囲】
【請求項１】
外周壁に設けられた風穴内にプランター類を設置するプランター類の設置構造であって、
枠状に形成されて前記風穴内の上部に取り付けられる上部支持体と、
枠状に形成されて前記風穴内の下部に取り付けられる下部支持体と、
該下部支持体の枠内に設けられて前記プランター類を載置する載置部と、
前記上部支持体および前記下部支持体の外周にて前記風穴の外側開口を塞ぐように設けられた複数の柵部材と、
前記上部支持体および前記下部支持体に連結して前記風穴の内天面と内底面との間に固定される固定柱と、を備え、該固定柱が、前記風穴の内天面と内底面との間の寸法に応じて伸縮可能に形成されていることを特徴とするプランター類の設置構造。
【請求項２】
前記上部支持体および前記下部支持体のうちの少なくとも前記上部支持体が、前記風穴の内側開口から突設されていることを特徴とする請求項１記載のプランター類の設置構造。
【発明の詳細な説明】
【０００１】
【発明の属する技術分野】
本発明は、例えばバルコニーなどの外周壁に設けられた風穴内にプランター類を設置するためのプランター類の設置構造に関するものである。
【０００２】
【従来の技術】
近年、建物において、バルコニーなどの外周壁に設けられた風穴内に、草花を植設したプランター類を設置する趣向がある。
【０００３】
従来、バルコニーなどの外周壁に設けられた風穴内にプランター類を設置する場合、風穴の内底面にプランター類を置いている。この場合、風穴の内底面に載置台を設けその上にプランター類を置くこともある。
【０００４】
【発明が解決しようとする課題】
しかしながら、上述した従来のプランター類の設置構造では、設置状態が不安定であり、強風時などにプランター類が落下するおそれがある。また、プランター類に建物の外部から手が届く場合には、悪戯や盗難のおそれがあるという問題もある。また、バルコニーの風穴内にプランター類を設置した場合、その外周壁に布団を掛けて干すと、風穴内にあるプランター類に布団が接触して布団を汚してしまったり、プランター類が落下するという問題もある。
【０００５】
そこで本発明は、上記課題を解消するために、安定したプランター類の設置が行われるとともに、悪戯や盗難を防止し、外周壁の風穴内にプランター類を設置した際には、プランター類と外周壁に掛けて干した布団の接触を防止することができるプランター類の設置構造を提供することを目的としている。
【０００６】
【課題を解決するための手段】
上記目的を達成するため本発明による請求項１記載のプランター類の設置構造は、
外周壁に設けられた風穴内にプランター類を設置するプランター類の設置構造であって、
枠状に形成されて前記風穴内の上部に取り付けられる上部支持体と、
枠状に形成されて前記風穴内の下部に取り付けられる下部支持体と、
該下部支持体の枠内に設けられて前記プランター類を載置する載置部と、
前記上部支持体および前記下部支持体の外周にて前記風穴の外側開口を塞ぐように設けられた複数の柵部材と、
を備えている。
【０００７】
さらに、前記上部支持体および前記下部支持体に連結して前記風穴の内天面と内底面との間に固定される固定柱を備え、
該固定柱が、前記風穴の内天面と内底面との間の寸法に応じて伸縮可能に形成されていることを特徴とする。
【０００８】
請求項２記載のプランター類の設置構造は、請求項１記載のプランター類の設置構造において、
前記上部支持体および前記下部支持体のうちの少なくとも前記上部支持体が、前記風穴の内側開口から突設されていることを特徴とする。
【０００９】
【発明の実施の形態】
以下、本発明の第一実施の形態を図面を参照して具体的に説明する。
図１は本発明のプランター類の設置構造の第一実施の形態を示す正面図、図２は同平面図、図３は同側面図である。
【００１０】
第一実施の形態でのプランター類の設置構造は、例えばバルコニーなどの外周壁に設けられた風穴内にプランター類を設置するものである。図１乃至図３では、一例としてバルコニーの外周壁に設けられた風穴Ａを示している。この風穴Ａは、バルコニーの外周壁に限らず、建物を囲む塀をなす外周壁に設けられているものもある。
【００１１】
図１乃至図３に示すように、第一実施の形態でのプランター類の設置構造は、上部支持体１と、下部支持体２と、固定柱３と、柵部材４とを有している。
【００１２】
上部支持体１は、図２で示す平面視で、風穴Ａの左右内側面ａ１，ａ２間に収まるように略長円をなす枠状に形成されている。また、上部支持体１は、風穴Ａの内側開口Ａ１（建物内側）および外側開口Ａ２（建物外側）に突出する大きさに形成されている。
【００１３】
下部支持体２は、図２で示す平面視で、風穴Ａの左右内側面ａ１，ａ１間に収まるように略長円をなす枠状に形成されている。また、下部支持体２は、風穴Ａの少なくとも外側開口Ａ２（建物外側）に突出する大きさに形成されている。なお、下部支持体２は、内側開口Ａ１（建物内側）に突出する大きさであってもよい。
【００１４】
下部支持体２は、載置部５を有している。載置部５は、平板状の底板５ａの前後にそれぞれ縁板５ｂが立設されて、下部支持体２の枠内に収まるように、Ｌ字型の固定部材６を介して溶接などで固定されている。この載置部５には、図３に示すように、底板５ａにプランター類Ｂが載置される。
【００１５】
固定柱３は、上下方向に長手の角柱体であって、上部支持体１および下部支持体２の両側部にて、それぞれ上部支持体１と下部支持体２に連結するように設けられている。そして、固定柱３は、上端を風穴Ａの内天面ａ２に固定し、下端を風穴Ａの内底面ａ３に固定して、上部支持体１および下部支持体２を風穴Ａの内天面ａ２と内底面ａ３との間に固定する。これにより、上部支持体１が風穴Ａ内の上部に、下部支持体２が風穴Ａ内の下部に固定される。
【００１６】
また、固定柱３は、風穴Ａの内天面ａ２と内底面ａ３との間の寸法に応じて伸縮可能に形成されている。具体的に固定柱３は、上部支持体１および下部支持体２に連結する連結部位３ａと、該連結部位３ａの上端に挿通された上下方向に摺動可能とされた摺動部位３ｂとを有している。摺動部位３ｂは、連結部位３ａの上端から所定長さ延出した状態でネジ固定される。これにより、固定柱３は、風穴Ａの内天面ａ２と内底面ａ３との間の寸法に応じた長さとなる。また、摺動部位３ｂの上端、および連結部位３ａの下端には、それぞれ内天面ａ２と内底面ａ３とにネジ固定し得るフランジ部７が設けられている。
【００１７】
柵部材４は、上下方向に長手の板帯体であって、上部支持体１および下部支持体２の外周に対して取り付けられている。柵部材４は、風穴Ａの外側開口Ａ２を塞ぐように左右方向に所定間隔を置いて複数設けられている。柵部材４は、図３で示す側面視で、上端にて前側（外側）に湾曲された上カール部４ａと、下端にて後側（内側）に湾曲された下カール部４ｂと、上カール部４ａと下カール部４ｂとを湾曲して繋ぐ中間部４ｃにより成形されている。そして、中間部４ｃが上部支持体１に取り付けられ、下カール部４ｂが下部支持体２に取り付けられている。
【００１８】
このように構成されたプランター類の設置構造では、平板状の底板５ａを有した載置部５により、プランター類Ｂを安定して設置することが可能である。また、風穴Ａの外側開口Ａ２を塞ぐ柵部材４により、強風などでプランター類Ｂの落下が防止されるとともに、悪戯や盗難を防止することが可能である。
【００１９】
特に、上記プランター類の設置構造では、図３に示すように、バルコニーの外周壁の風穴Ａに採用した際、上部支持体１が風穴Ａの内側開口Ａ１から突設するとともに、柵部材４が風穴Ａの外側開口Ａ２の外側にあるので、図３中一点鎖線であらわすように外周壁に掛けて干した布団Ｃと、プランター類との接触を防止することが可能であり布団を汚すことがない。
【００２０】
【発明の効果】
以上説明したように本発明による請求項１記載のプランター類の設置構造は、外周壁に設けられた風穴内にプランター類を設置する際、風穴内の下部に取り付けられた下部支持体に設けられた載置部に対してプランター類を安定して設置することができる。また、風穴の外側開口を塞ぐ柵部材によってプランター類の落下、および悪戯や盗難を防止することができる。
【００２１】
さらに、上部支持体および下部支持体が、風穴の内天面と内底面との間の寸法に応じて伸縮可能とされた固定柱に連結して固定されるので、風穴の寸法に応じて容易にプランター類の設置構造を得ることができる。
【００２２】
請求項２記載のプランター類の設置構造は、少なくとも上部支持体が、風穴の内側開口から突設されていることにより、特に、本発明のプランター類の設置構造をバルコニーの外周壁の風穴に採用した際、上部支持体と柵部材により、外周壁に掛けて干した布団と、プランター類との接触を回避して布団の汚れを防止することができる。
【図面の簡単な説明】
【図１】本発明のプランター類の設置構造の第一実施の形態を示す正面図。
【図２】同平面図。
【図３】同側面図。
【符号の説明】
１…上部支持体、２…下部支持体、３…固定柱、４…柵部材、５…載置部、Ａ…風穴、Ａ１…内側開口、Ａ２…外側開口、ａ２…内天面、ａ３…内底面、Ｂ…プランター類、Ｃ…布団。
【図１】
0003598081.tif 000002
【図２】
0003598081.tif 000003
【図３】
0003598081.tif 000004